(57)【要約】【課題】ベッドの差込式サイドレールにおいて、ヘッドボードとの間に、身体が挟まれる危険性がある隙間を生じないようにすると共に、がたつきを軽減することを目的とする。【解決手段】本発明では、直交方向に屈曲し、円筒形状の下側を切り欠いて屈曲切欠円筒形状部材９として構成したサイドレールスペーサー８や、円筒形状の下側を切り欠いて切欠円筒形状部材として構成し、一端側に下側に突出する支持棒体を設けたことを特徴とするサイドレールスペーサー等を提案する。【選択図】図２
2010069179.tif 000002
【特許請求の範囲】
【請求項１】
直交方向に屈曲し、円筒形状の下側を切り欠いて屈曲切欠円筒形状部材として構成したサイドレールスペーサー。
【請求項２】
一部に蛇腹部を形成したことを特徴とする請求項１に記載のサイドレールスペーサー。
【請求項３】
円筒形状の下側を切り欠いて切欠円筒形状部材として構成し、一端側に下側に突出する支持棒体を設けたことを特徴とするサイドレールスペーサー。
【請求項４】
一端側を平面状に形成したことを特徴とする請求項３に記載のサイドレールスペーサー。
【請求項５】
一端に取付用突起を設けた支持片の他端側に、直交方向に円筒形状の下側を切り欠いて切欠円筒形状の係合部を設けたことを特徴とするサイドレールスペーサー。
【発明の詳細な説明】
【技術分野】
【０００１】
本発明は、ベッドの差込式サイドレールに関し、特にヘッドボードとの間に、身体が挟まれる危険性がある隙間を生じないようにすると共に、がたつきを軽減することができるサイドレールスペーサーに関するものである。
【背景技術】
【０００２】
医療施設や在宅看護の場で使用するベッドのサイドレールとしては各種方式のものが従来から提供されているが、このうち、サイドレール本体の下側に支持棒体を突設し、この支持棒体をベッド側に設けた差込支持部に差し込んで支持する方式の差込式サイドレールは、構成が複雑でなく、扱いやすいため、広く使用されている。
【０００３】
ところが、差込式サイドレールでは、一般に、その周辺等に隙間が生じるため、ベッド使用者の身体能力によっては、隙間に身体の一部が挟まれてしまうことがある。特に、サイドレールとヘッドボードとの間に生じる隙間は、頭側に存在するため重大事故につながる恐れが高い。
【０００４】
また差込式サイドレールは、下側に突設した支持棒体をベッド側に設けた差込支持部に差し込んで支持するという構成であることから、がたつきが必ず存在し、がたつきによって上述した隙間が広がることにより危険性がより高くなる場合がある。
【０００５】
差込式サイドレールによる隙間に対する従来技術として、例えば、特許文献１や特許文献２では、サイドレール本体の横側に伸縮可能な伸長部を構成して、この伸長部を、ボードとの距離に応じてサイドレール本体から伸長させることにより隙間を小さくしている。
【０００６】
また特許文献３では、サイドレールの側部とヘッドボードとの間の隙間の大きさに応じて、サイドレールの側部にカバーを固定することにより隙間を小さくしている。
【０００７】
一方、他の方式のサイドレールを示す従来技術として、特許文献４や特許文献５では、ベッドのヘッドボードとフットボード間に上部横桟部材と下部横桟部材を設け、下部横桟部材はベッド本体に固定し、上部横桟部材を昇降可能に支持すると共に、これらの上部横桟部材と下部横桟部材間に、スクリーン部材や伸縮支柱等の変形可能な部材を設けた全面柵方式のサイドレールがあり、これらの方式のサイドレールでは、上記隙間やがたつきは生じないが、不使用時に容易に取り外すことはできず、利便性が悪く、また複雑な機構が必要となる。
【特許文献１】特開２００６−２０４７４３号公報
【特許文献２】特開平８−２４３１２７号公報
【特許文献３】特開２００５−１６０５８３号公報
【特許文献４】特開２０００−５１２８４号公報
【特許文献５】特開２０００−１２６２４９号公報
【発明の開示】
【発明が解決しようとする課題】
【０００８】
特許文献１や特許文献２に示されるように、サイドレール本体の横側に伸縮可能な伸長部を構成して、この伸長部を、ボードとの距離に応じてサイドレール本体から伸縮させて調節可能とした構成や、特許文献３に示されるように、サイドレールの側部とヘッドボードとの間の隙間の大きさに応じて、サイドレールの側部にカバーを固定した構成、即ち、サイドレールの全幅を調節可能とする構成では、隙間を非常に小さく調節することもできるが、がたつきの問題は解消されておらず、隙間を小さく調節しても、がたつきにより広がって危険となる恐れがある。即ち、以上の特許文献に示されるような差込式サイドレールの構成では、ボードとの隙間を完全に無くすことはできない。
【０００９】
また上述したように、特許文献４や特許文献５に示されるような全面柵方式のサイドレールでは、上記隙間やがたつきは生じないが、不使用時に容易に取り外すことはできず、利便性が悪く、また複雑な機構が必要となる。
本発明は、以上の点に鑑みて創案されたもので、即ち、ベッドの差込式サイドレールにおいて、ボード、特に、ヘッドボードとの間に、身体が挟まれる危険性がある隙間を生じないようにすると共に、がたつきを軽減することができるサイドレールスペーサーを提供することを目的とするものである。
【課題を解決するための手段】
【００１０】
上述した課題を解決するために、本発明では、まず、直交方向に屈曲し、円筒形状の下側を切り欠いて屈曲切欠円筒形状部材として構成したサイドレールスペーサーを提案する。
【００１１】
そして本発明では、この構成において、一部に蛇腹部を形成したサイドレールスペーサーを提案する。
【００１２】
次に本発明では、円筒形状の下側を切り欠いて切欠円筒形状部材として構成し、一端側に下側に突出する支持棒体を設けたサイドレールスペーサーを提案する。
【００１３】
そして本発明では、この構成において、一端側を平面状に形成したサイドレールスペーサーを提案する。
【００１４】
更に本発明では、一端に取付用突起を設けた支持片の他端側に、直交方向に円筒形状の下側を切り欠いて切欠円筒形状の係合部を設けたサイドレールスペーサーを提案する。
【発明の効果】
【００１５】
まず屈曲切欠円筒形状部材のサイドレールスペーサーでは、サイドレールに突設した支持棒体をベッド側に設けた差込支持部に差し込んで支持した後、サイドレールスペーサーの切欠側から嵌合することにより、直交方向に配置されるベッドのボードの端部とサイドレールの端部に渡ってサイドレールスペーサーを取り付けることができ、サイドレールとボードの隙間の上側の開口がサイドレールスペーサーにより遮断されるため、隙間の上部から身体の一部が挟まってしまうという危険性がなくなる。また、サイドレールは、サイドレールスペーサーを介してボードに支持されるため、がたつきが低減される。
【００１６】
サイドレールスペーサーは、適宜の長さに構成することにより、ボードとサイドレールの間隔が異なるベッドにも適用することができ、また一部に蛇腹部を形成すれば、更に良好に適用することができる。
【００１７】
次に円筒形状の下側を切り欠いて切欠円筒形状部材として構成し、一端側に下側に突出する支持棒体を設けたサイドレールスペーサーにおいては、サイドレールに突設した支持棒体をベッド側に設けた差込支持部に差し込んで支持した後、他端側を切欠部によりサイドレールに嵌合し、そして一端側の支持棒体をベッドのボードの上側に形成した嵌合孔に嵌合することにより、直交方向に配置されるベッドのボードの端部とサイドレールの端部に渡ってサイドレールスペーサーを取り付けることができ、サイドレールとボードの隙間の上側の開口がサイドレールスペーサーにより遮断されるため、隙間の上部から身体の一部が挟まってしまうという危険性がなくなる。また、サイドレールは、サイドレールスペーサーを介してボードに支持されるため、がたつきが低減される。
【００１８】
サイドレールスペーサーは、切欠円筒形状部材を適宜の長さに構成することにより、ボードとサイドレールの間隔が異なるベッドにも適用することができる。
【００１９】
次に、一端に取付用突起を設けた支持片の他端側に、直交方向に円筒形状の下側を切り欠いて切欠円筒形状の係合部を設けたサイドレールスペーサーにおいては、ベッドのボードの上部の表裏側に、長さ方向の案内溝を設け、支持片の取付用突起を案内溝に係合して取り付ける。
【００２０】
この構成においては、サイドレールに突設した支持棒体をベッド側に設けた差込支持部に差し込んで支持した後、サイドレールスペーサーをボードの外側方向に移動し、そして支持片を回動させて係合部をサイドレールの上部部材に係合する。
【００２１】
ベッドのボードに対して直交方向に位置するサイドレールの端部をサイドレールスペーサーを介して支持することができ、同時にサイドレールとボードの隙間の上側の開口がサイドレールスペーサーにより遮断されるため、隙間の上部から身体の一部が挟まってしまうという危険性がなくなる。また、サイドレールは、サイドレールスペーサーを介してボードに支持されるため、がたつきが低減される。
【００２２】
この際、係合部をボードの長さ方向に進退可能とすることができ、この場合には、ボードの側辺からサイドレールまでの距離が異なるベッドに対しても適用できる。この構成においては、係合部の進退を不可能とするためのストッパー手段を設ければ、サイドレールのがたつきの低減効果を維持することができる。
【発明を実施するための最良の形態】
【００２３】
次に本発明のサイドレールスペーサーの実施の形態を添付図面を参照して説明する。
まず図１〜図４は本発明を適用したサイドレールスペーサーの第１の実施の形態を示す斜視図であり、詳細な構成は省略して、概念的に示している。
図において、符号１はベッド、２はそのヘッドボードであり、３はサイドレールを示すものである。サイドレール３は、下側に支持棒体４を突設して、ベッド１側に設けた差込支持部５に差し込んで支持する構成である。周知のように、差込支持部５はベッド１の床部６やそれに突設した付属品受け７等に設けることができる。
【００２４】
符号８はこの実施の形態に係るサイドレールスペーサーであり、このサイドレールスペーサー８は、直交方向に屈曲し、円筒形状の下側を切り欠いて屈曲切欠円筒形状部材９として構成されている。符号１０が切欠部を示すものである。尚、この屈曲切欠円筒形状部材９は、例えば硬質プラスチックス等のように弾性と剛性を有するものにより製作する。
【００２５】
以上の構成において、サイドレール３に突設した支持棒体４をベッド１側に設けた差込支持部５に差し込んで支持した後、図１から図２に示すように、サイドレールスペーサー８を構成する屈曲切欠円筒形状部材９を切欠側１０から嵌合することにより、直交方向に配置されるベッド１のヘッドボード２の端部とサイドレール３の端部に渡って屈曲切欠円筒形状部材９を取り付けることができ、サイドレール３とヘッドボード２の隙間の上側の開口がこのサイドレールスペーサー８により遮断されるため、隙間の上部から身体の一部が挟まってしまうという危険性がなくなる。また、サイドレール３は、サイドレールスペーサー８を介してヘッドボード２に支持されるため、がたつきが低減される。
【００２６】
この構成のサイドレールスペーサー８を構成する屈曲切欠円筒形状部材９は、適宜の長さに構成することにより、図３と図４に示すようにヘッドボード２とサイドレール３の間隔が異なるベッドにも適用することができる。
【００２７】
また図５、図６に示す第２の実施の形態のように、サイドレールスペーサー８を構成する屈曲切欠円筒形状部材９の一部に蛇腹部１１を形成すれば、ヘッドボード２とサイドレール３の間隔が異なるベッドにも更に良好に適用することができる。
【００２８】
次に図７〜図１０は本発明のサイドレールスペーサーの第３の実施の形態を示すものである。
まず図７、図８は斜め上方からと、斜め下方から見たサイドレールスペーサー８の斜視図であり、このサイドレールスペーサー８は、円筒形状の下側を切り欠いて切欠円筒形状部材１２として構成し、一端側に平面状部１２ａを形成して、下側に突出する支持棒体１３を設けた構成である。
【００２９】
この実施の形態のサイドレールスペーサー８を使用する場合には、予めベッド１のボード、この場合、ヘッドボード２の上側に、支持棒体１３を嵌合可能な嵌合孔１４を設けておく。
【００３０】
このサイドレールスペーサー８においては、上述と同様に、サイドレール３に突設した支持棒体４をベッド１側に設けた差込支持部５に差し込んで支持した後、図９及び図１０に示すように、切欠円筒形状部材１２の他端側を切欠部１５によりサイドレール３に嵌合し、そして一端側の平面状部１２ａの支持棒体１３をヘッドボード２の上側に形成した嵌合孔１４に嵌合することにより、図９に示すように、直交方向に配置されるヘッドボード２の端部とサイドレール３の端部に渡って、切欠円筒形状部材１２によるサイドレールスペーサー８を取り付けることができ、サイドレール３とヘッドボード２の隙間の上側の開口がサイドレールスペーサー８により遮断されるため、隙間の上部から身体の一部が挟まってしまうという危険性がなくなる。また、サイドレール３は、サイドレールスペーサーを介してボードに支持されるため、がたつきが低減される。
【００３１】
この構成のサイドレールスペーサー８を構成する切欠円筒形状部材１２は、適宜の長さに構成することにより、ヘッドボード２とサイドレール３の間隔が異なるベッド１にも適用することができる。
【００３２】
次に図１１、図１２は本発明のサイドレールスペーサーの第４の実施の形態を示すものである。この実施の形態では、サイドレールスペーサー８を構成する切欠円筒形状部材９の一端側寄りの横方向に平面状部１２ａを突出させ、その下側に突出する支持棒体１３を設けた構成であり、この構成では、切欠円筒形状部材１２のサイドレール３に対しての嵌合位置を調節することができるので、ヘッドボード２とサイドレール３の間隔が異なるベッド１にも適用することができる。
【００３３】
次に図１３〜図１６は本発明のサイドレールスペーサーの第５の実施の形態を示すものである。
この実施の形態では、サイドレールスペーサー８は、取付用突起１６を設けた支持片１７の他端側に、直交方向に円筒形状の下側を切り欠いて切欠円筒形状の係合部１８を設けた構成である。この構成のサイドレールスペーサー８においては、ベッド１のボード、この場合、ヘッドボード２の上部の表裏側に、長さ方向の案内溝１９を設け、支持片１７の取付用突起１６を案内溝１９に係合して取り付ける。
【００３４】
この構成においては、サイドレール３に突設した支持棒体（図示省略）をベッド側に設けた差込支持部（図示省略）に差し込んで支持した後、サイドレールスペーサー８をヘッドボード２の外側方向、この場合、図中左方向に移動し、そして支持片１７を回動させて係合部１８をサイドレール３の上部部材に係合する。
【００３５】
このことにより、ヘッドボード２に対して直交方向に位置するサイドレール３の端部をサイドレールスペーサー３を介して支持することができ、同時にサイドレール３とヘッドボード２の隙間の上側の開口がサイドレールスペーサー８により遮断されるため、隙間の上部から身体の一部が挟まってしまうという危険性がなくなる。
【００３６】
この際、サイドレールスペーサー８を案内溝１９に沿って移動させた場所において、その移動を不可能とするためのストッパー手段（図示省略）を設ければ、サイドレール３は、サイドレールスペーサー８を介してヘッドボード２に支持されるため、がたつきが低減される。
【００３７】
この際、係合部１８はヘッドボード２の長さ方向に進退可能であるため、図１５に示すようにヘッドボード２の側片からサイドレール３までの距離が異なるベッドに対しても適用できる。
【００３８】
このサイドレールスペーサー８では不使用時には図１６に示すように係合部１８ヘッドボード２の長さ方向に後退させておくことができる。
【産業上の利用可能性】
【００３９】
本発明は以上の通りであるので、ボード、特に、ヘッドボードとの間に、身体が挟まれる危険性がある隙間を生じないようにすると共に、がたつきを軽減することができるサイドレールスペーサーを提供することができる。
【図面の簡単な説明】
【００４０】
【図１】本発明のサイドレールスペーサーの第１の実施の形態を概念的に示す斜視図である。
【図２】本発明のサイドレールスペーサーの第１の実施の形態を使用状態において概念的に示す斜視図である。
【図３】本発明のサイドレールスペーサーの第１の実施の形態を他の使用状態に至る前の状態において概念的に示す斜視図である。
【図４】本発明のサイドレールスペーサーの第１の実施の形態を他の使用状態において概念的に示す斜視図である。
【図５】本発明のサイドレールスペーサーの第２の実施の形態を概念的に示す斜視図である。
【図６】本発明のサイドレールスペーサーの第２の実施の形態を使用状態において概念的に示す斜視図である。
【図７】本発明のサイドレールスペーサーの第３の実施の形態を示す斜視図である。
【図８】本発明のサイドレールスペーサーの第３の実施の形態を他の方向から見て示す斜視図である。
【図９】本発明のサイドレールスペーサーの第３の実施の形態を使用状態において示す要部平面図である。
【図１０】図９のＡ−Ａ線断面図である。
【図１１】本発明のサイドレールスペーサーの第４の実施の形態を使用状態において示す要部平面図である。
【図１２】本発明のサイドレールスペーサーの第４の実施の形態を使用状態において示す図補１１のＢ−Ｂ線断面図である。
【図１３】本発明のサイドレールスペーサーの第５の実施の形態を使用状態において示す要部平面図である。
【図１４】図１３のＣ−Ｃ線断面図である。
【図１５】本発明のサイドレールスペーサーの第５の実施の形態を他の使用状態において示す図１３のＣ−Ｃ線断面に相当する図である。
【図１６】本発明のサイドレールスペーサーの第５の実施の形態を不使用状態において示す図１３のＣ−Ｃ線断面に相当する図である。
【符号の説明】
【００４１】
１              ベッド
２              ヘッドボード
３              サイドレール
４              支持棒体
５              差込支持部
６              床部
７              付属品受け
８              サイドレールスペーサー
９              屈曲切欠円筒形状部材
１０            切欠部
１１            蛇腹部
１２            切欠円筒形状部材
１２ａ        平面状部
１３            支持棒体
１４            嵌合孔
１５            切欠部
１６            取付用突起
１７            支持片
１８            係合部
１９            案内溝
【図１】
2010069179.tif 000003
【図２】
2010069179.tif 000004
【図３】
2010069179.tif 000005
【図４】
2010069179.tif 000006
【図５】
2010069179.tif 000007
【図６】
2010069179.tif 000008
【図７】
2010069179.tif 000009
【図８】
2010069179.tif 000010
【図９】
2010069179.tif 000011
【図１０】
2010069179.tif 000012
【図１１】
2010069179.tif 000013
【図１２】
2010069179.tif 000014
【図１３】
2010069179.tif 000015
【図１４】
2010069179.tif 000016
【図１５】
2010069179.tif 000017
【図１６】
2010069179.tif 000018